(57)【特許請求の範囲】
【請求項１】
光軸方向に沿って配置された第１〜第３レンズと、
前記第１レンズを保持する筒状の第１レンズ枠と、
前記第２レンズを保持する第２レンズ枠と、
前記第１レンズ枠と前記第２レンズ枠との間において、前記第１レンズ枠の内周側に径方向に隙間を介して配置されており、前記第３レンズを保持する第３レンズ枠とを備え、
前記第１レンズ枠の外周面には、前記第３レンズ枠の偏心調整用の治具を挿入するための挿入孔が少なくとも一つ形成されており、
前記第３レンズ枠には、径方向外側に突出する凸部が形成されており、
前記第１レンズ枠と前記第３レンズ枠との仮固定状態において、前記第３レンズ枠の前記凸部と前記第１レンズ枠との係合により、前記第３レンズ枠は、前記第１レンズ枠に対して径方向に移動可能に支持され、
前記第１レンズ枠および前記第３レンズ枠の少なくとも一方には、前記第１〜第３レンズ枠を組み立てた状態で前記第１レンズ枠の外側からアクセス可能な位置に、前記第１レンズ枠に対して前記第３レンズ枠を固定する結合部が設けられている、
レンズ鏡筒。
【請求項２】
前記第１レンズ枠には、径方向内側に突出する爪部が形成されており、
前記仮固定状態において、前記凸部の径方向側面と、前記爪部の径方向側面と、の係合により、前記第３レンズ枠は、前記第１レンズ枠に対して径方向に移動可能に支持される、
請求項１に記載のレンズ鏡筒。
【請求項３】
前記第３レンズ枠には、径方向外側に突出するストッパが形成されており、
前記第３レンズ枠の前記第１レンズ枠に対する回転は、前記ストッパと、前記第１レンズ枠の前記爪部の側面と、が当接することにより規制される、
請求項２に記載のレンズ鏡筒。
【請求項４】
前記第３レンズ枠は、該第３レンズ枠と一体に形成された、略円錐筒形状の本体部を有し、
前記第３レンズ枠における前記凸部は、前記略円錐筒形状の本体部における最も外周面側の部分に形成された、径方向外側に向かって突出した凸部である、
請求項３に記載のレンズ鏡筒。
【請求項５】
前記結合部は、偏心調整された後の前記第３レンズ枠を前記第１レンズ枠に対して固定するための接着剤が充填される接着剤溜まり部である、
請求項２に記載のレンズ鏡筒。
【請求項６】
前記接着剤溜まり部は、前記第３レンズ枠の外周部における前記第１レンズ枠の内周面と対向する部分に形成された凹部を含む、
請求項５に記載のレンズ鏡筒。
【請求項７】
前記接着剤溜まり部は、前記第１レンズ枠の内周部における前記第３レンズ枠の外周部と対向する部分に形成された凹部を含む、
請求項６に記載のレンズ鏡筒。
【請求項８】
前記挿入孔は、前記第１レンズ枠の外周面に、略等角度間隔で３箇所に設けられている、請求項１に記載のレンズ鏡筒。
【請求項９】
前記結合部は、前記第１レンズ枠の外側に露出するように配置されている、請求項１に記載のレンズ鏡筒。
【請求項１０】
前記第１レンズ枠は、前記第１レンズ枠の外側に前記結合部を露出させる開口部を有している、
請求項９に記載のレンズ鏡筒。
【請求項１１】
光軸方向に沿って配置された第１〜第３レンズと、
前記第１レンズを保持する筒状の第１レンズ枠と、
前記第２レンズを保持する第２レンズ枠と、
径方向外側に突出する凸部が形成された前記第３レンズを保持する第３レンズ枠と、を備えたレンズ鏡筒の光軸調整方法であって、
前記第１レンズ枠と前記第２レンズ枠との間において、前記第１レンズ枠の内周側に径方向に隙間を介して前記第３レンズ枠が配置され、かつ前記第３レンズ枠の前記凸部と前記第１レンズ枠とを係合させて前記第３レンズ枠が前記第１レンズ枠に対して径方向に移動可能に支持されるように、前記第１〜第３レンズ枠を組み立てるステップと、
組み立て後に、前記第１レンズ枠の外周面に少なくとも１つ形成された挿入孔から、治具を挿入して前記第３レンズ枠を径方向に移動させて偏心調整を行うステップと、
偏心調整を行った後に、前記第１レンズおよび前記第３レンズ枠の少なくとも一方に設けられ、前記第１〜第３レンズ枠を組み立てた状態で前記第１レンズ枠の外側からアクセス可能な結合部により、前記第１レンズ枠に対して前記第３レンズ枠を固定するステップとを含む、
光軸調整方法。
【発明の詳細な説明】
【技術分野】
【０００１】
本開示は、光軸方向に沿って複数のレンズ枠が配置されたレンズ鏡筒および光軸調整方法に関する。
【背景技術】
【０００２】
レンズ鏡筒には、光軸方向に沿って複数のレンズ枠にそれぞれ取り付けられたレンズ群が含まれている。
【０００３】
例えば、特許文献１には、互いに連結される２つのレンズ保持部材（レンズ枠）間において、レンズの光軸調整（偏心調整）を容易に行うことが可能なレンズ調整機構について開示されている。
【先行技術文献】
【特許文献】
【０００４】
【特許文献１】特開平１０−１６０９９３号公報
【発明の概要】
【０００５】
しかしながら、上記従来のレンズ鏡筒では、以下に示すような問題点を有している。
【０００６】
すなわち、上記公報に開示されたレンズ鏡筒では、２つのレンズ保持部材間における偏心調整を実施することができるものの、複数のレンズ枠の内側に配置されたレンズ枠に対してその方法をそのまま適用することが困難である。
【０００７】
本開示の課題は、光軸方向に沿って複数のレンズ枠が配置されたレンズ鏡筒において、複数のレンズ枠のうち、内側に配置されたレンズ枠に取り付けられたレンズの偏心調整を容易に実施することが可能なレンズ鏡筒および光軸調整方法を提供することにある。
【０００８】
本開示に係るレンズ鏡筒は、光軸方向に沿って複数のレンズが配置されたレンズ鏡筒であって、筒状の第１レンズ枠と、第２レンズ枠と、第３レンズ枠と、挿入孔と、結合部と、を備えている。筒状の第１レンズ枠は、被写体側に配置された第１レンズを保持する。第２レンズ枠は、光軸方向において第１レンズ枠における被写体側とは反対側に配置された第２レンズを保持する。第３レンズ枠は、第１レンズ枠と第２レンズ枠との間であって、第１レンズ枠の内周側に径方向隙間を介して配置されており、第３レンズを保持する。挿入孔は、第１レンズ枠の外周面に少なくとも一つ形成された貫通穴であって、第３レンズ枠の偏心調整用の治具が挿入される。第３レンズ枠には、径方向外側に突出する凸部が形成されている。１レンズ枠と第３レンズ枠との仮固定状態において、第３レンズ枠の凸部と第１レンズ枠との係合により、第３レンズ枠は、第１レンズ枠に対して径方向に移動可能に支持される。結合部は、第１〜第３レンズ枠を組み立てた状態で外側からアクセス可能な位置に設けられており、第１レンズ枠に対して第３レンズ枠を固定する。結合部は、第１レンズ枠および第３レンズ枠の少なくとも一方に設けられている。
【０００９】
本開示に係る光軸調整方法は、光軸方向に沿って配置された第１〜第３レンズと、第１レンズを保持する筒状の第１レンズ枠と、第２レンズを保持する第２レンズ枠と、径方向外側に突出する凸部が形成された第３レンズを保持する第３レンズ枠と、を備えたレンズ鏡筒の光軸調整方法である。第１レンズ枠と第２レンズ枠との間において、第１レンズ枠の内周側に径方向に隙間を介して第３レンズ枠が配置され、かつ第３レンズ枠の凸部と第１レンズ枠とを係合させて第３レンズ枠が第１レンズ枠に対して径方向に移動可能に支持されるように、第１〜第３レンズ枠を組み立てるステップを含む。組み立て後に、第１レンズ枠の外周面に少なくとも１つ形成された挿入孔から、治具を挿入して第３レンズ枠を径方向に移動させて偏心調整を行うステップを含む。偏心調整を行った後に、第１レンズおよび第３レンズ枠の少なくとも一方に設けられ、第１〜第３レンズ枠を組み立てた状態で第１レンズ枠の外側からアクセス可能な結合部により、第１レンズ枠に対して第３レンズ枠を固定するステップを含む。
【００１０】
本開示に係るレンズ鏡筒および光軸調整方法によれば、光軸方向に沿って複数のレンズ枠が配置されたレンズ鏡筒において、複数のレンズ枠のうち、内側に配置されたレンズ枠に取り付けられたレンズの偏心調整を容易に実施することができる。
【図面の簡単な説明】
【００１１】
【図１】図１は、本開示の一実施形態に係るレンズ鏡筒の構成を示す全体斜視図である。
【図２】図２は、図１のレンズ鏡筒の内部構成を示す端面図である。
【図３】図３は、図１および図２のレンズ鏡筒に含まれる１群レンズ枠ユニットの内周側にレンズ枠を組み付ける工程について説明する分解斜視図である。
【図４Ａ】図４Ａは、図３の１群レンズ枠ユニットを被写体側から見た図である。
【図４Ｂ】図４Ｂは、図３の１群レンズ枠ユニットを側面からみた図である。
【図４Ｃ】図４Ｃは、図３の１群レンズ枠ユニットをカメラ本体側から見た図である。
【図５Ａ】図５Ａは、図３の１群レンズ枠ユニットを被写体側から見た図である。
【図５Ｂ】図５Ｂは、図３の１群レンズ枠ユニットを側面からみた図である。
【図５Ｃ】図５Ｃは、図３の１群レンズ枠ユニットの内周側においてレンズ枠を回転させる工程をカメラ本体側から見た図である。
【図６】図６は、図１および図２のレンズ鏡筒において、組み付けられた状態で外側から偏心調整用の治具が挿入された状態を示す端面図である。
【図７】図７は、図１のレンズ鏡筒の内部構成を示す端面図である。
【発明を実施するための形態】
【００１２】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１３】
なお、出願人は、当業者が本開示を十分に理解するために添付図面および以下の説明を提供するのであって、これらによって請求の範囲に記載の主題を限定することを意図するものではない。
【００１４】
（実施形態１）
本開示の一実施形態に係るレンズ鏡筒１０について、図１〜図７を用いて説明すれば以下の通りである。
【００１５】
＜レンズ鏡筒１０全体の構成＞
本実施形態に係るレンズ鏡筒１０は、図１に示すように、カメラ本体（図示せず）に対して着脱可能なレンズユニットである。そして、レンズ鏡筒１０は、図２に示すように、光軸Ｘ方向に沿って１０枚のレンズＬ１〜Ｌ１０を含む光学系を保持する６つのレンズ枠（１群レンズ枠ユニット１１〜５群レンズ枠ユニット１５およびレンズ枠１６）と、カム枠１７と、固定枠１８と、絞りユニット１９と、を備えている。
【００１６】
１０枚のレンズＬ１〜Ｌ１０は、図２に示すように、光軸方向に沿って、被写体側からこの順に配置されており、カメラ本体に搭載された撮像素子（図示せず）に対して、被写体像を導く。
【００１７】
（１群レンズ枠ユニット１１）
１群レンズ枠ユニット（第１レンズ枠）１１は、図２に示すように、最も被写体側に配置されたレンズ枠であって、３枚のレンズ（第１レンズ）Ｌ１〜Ｌ３を含んでいる。そして、１群レンズ枠ユニット１１は、本体部１１ａ、レンズ保持部１１ｂ、挿入孔１１ｃ、開口部１１ｄを有している。また、１群レンズ枠ユニット１１は、図示しないアクチュエータあるいはマニュアルリング部材が操作されることによって駆動されることで、光軸Ｘ方向においてレンズ枠１６と一体的に前後に移動する。
【００１８】
本体部１１ａは、円筒状の部材である。そして、円筒状の本体部１１ａの内周面１１ａａには、光軸方向における被写体側の端部に、３つのレンズＬ１〜Ｌ３を保持するレンズ保持部１１ｂが設けられている。また、本体部１１ａは、その内周面側において、後述するレンズ枠１６を、位相を合わせた状態で保持する爪部１１ｅを有している。
【００１９】
また、内周面１１ａａには、後述するレンズ枠１６の外周面に形成された凹部（接着剤溜まり部）１６ｃａと対向する位置に、凹部（接着剤溜まり部）１１ａｂが設けられている。
【００２０】
さらに、内周面１１ａａと対向配置されたレンズ枠１６の外周凸部１６ｃとの間には、図２および図７に示すように、所定の径方向隙間Ｇが形成される。
【００２１】
これにより、レンズ枠１６は、１群レンズ枠ユニット１１の本体部１１ａの内周面１１ａａ側において、径方向に移動可能な状態で保持される。よって、径方向隙間Ｇを用いて、後述する１群レンズ枠ユニット１１に含まれるレンズ群（レンズＬ１〜Ｌ３）に対するレンズ枠１６に含まれるレンズＬ４の偏心調整を実施することができる。
【００２２】
凹部１１ａｂは、後述するレンズ枠１６の外周面に形成された凹部（接着剤溜まり部）１６ｃａと組み合わされて、接着剤２１（図６参照）が充填される隙間を形成する。
【００２３】
レンズ保持部１１ｂは、本体部１１ａの内周面における被写体側の端部において、３枚のレンズＬ１〜Ｌ３をこの順に保持している。
【００２４】
挿入孔１１ｃは、本体部１１ａの外周面から内周面にかけて貫通するように形成された貫通穴であって、略等角度（約１２０度）間隔で３つ設けられている。そして、挿入孔１１ｃには、後述する偏心調整用の治具２０（図６参照）が挿入される。
【００２５】
挿入孔１１ｃが複数設けられることにより、偏心調整を精度良く行うことができる。特に、挿入孔１１ｃを３つ以上設けることにより、光軸Ｘと直交する複数の方向に対する偏心調整をより精度良く行うことができる。
【００２６】
なお、本実施形態のレンズ鏡筒１０では、図２に示す全てのレンズ枠（１群レンズ枠ユニット１１〜５群レンズ枠ユニット１５およびレンズ枠１６）が組み込まれた状態において、挿入孔１１ｃが外側に露出するように配置されている。
【００２７】
開口部１１ｄは、図２および図３に示すように、円筒状の本体部１１ａにおける光軸Ｘに垂直な面に、略等角度（約１２０度）間隔で３つ形成されている。そして、開口部１１ｄは、図２に示す全てのレンズ枠（１群レンズ枠ユニット１１〜５群レンズ枠ユニット１５およびレンズ枠１６）が組み込まれた状態において、円筒状の本体部１１ａの被写体側から、接着剤２１が塗布される凹部１１ａｂ，１６ｃａを露出させる。
【００２８】
爪部１１ｅは、図４Ａおよび図４Ｃに示すように、本体部１１ａの内周面１１ａａにおける被写体側の位置に、略等角度（約１２０度）間隔で３つ設けられている。爪部１１ｅは、内周面１１ａａから径方向内側に向かって突出するように形成されている。爪部１１ｅは、後述するレンズ枠１６の外周凸部１６ｃと嵌合する。これにより、１群レンズ枠ユニット１１の本体部１１ａの内周面１１ａａ側において、レンズ枠１６が係止される。
【００２９】
なお、１群レンズ枠ユニット１１に含まれるレンズ群（レンズＬ１〜Ｌ３）に対するレンズ枠１６に含まれるレンズＬ４の偏心調整については、後段にて詳述する。
【００３０】
（２群レンズ枠ユニット１２）
２群レンズ枠ユニット（第２レンズ枠）１２は、図２に示すように、１群レンズ枠ユニット１１の本体部１１ａの内周面１１ａａ側において、光軸Ｘ方向に、１群レンズ枠ユニット１１とレンズ枠１６を挟み込むように配置されている。また、２群レンズ枠ユニット１２は、図２に示すように、本体部１２ａ、レンズ保持部１２ｂ、レンズＬ５を有している。
【００３１】
本体部１２ａは、略円板状の部材であって、中央の開口部にレンズ保持部１２ｂが設けられている。
【００３２】
レンズ保持部１２ｂは、略円形の開口部であって、レンズ（第２レンズ）Ｌ５を保持している。
【００３３】
レンズＬ５は、図２に示すように、被写体側に向かって凸形状を有し、光軸Ｘ方向における被写体側から見て、レンズ枠１６に含まれるレンズＬ４の下流側に配置されている。
【００３４】
（３群レンズ枠ユニット１３）
３群レンズ枠ユニット１３は、図２に示すように、円筒状の４群レンズ枠ユニット１４の本体部１４ａの内周側に、光軸Ｘ方向において移動可能な状態で配置されている。そして、３群レンズ枠ユニット１３は、本体部１３ａ、レンズ保持部１３ｂ、レンズＬ６，Ｌ７を有している。なお、３群レンズ枠ユニット１３は、図示しないアクチュエータによって駆動されることで、光軸Ｘ方向において前後に移動する。
【００３５】
本体部１３ａは、図２に示すように、略円板状の部材であって、光軸Ｘ方向における被写体側から見て、絞りユニット１９の下流側に配置されている。そして、本体部１３ａは、中央の開口部にレンズ保持部１３ｂが設けられている。
【００３６】
レンズ保持部１３ｂは、略円形の開口部であって、レンズＬ６，Ｌ７を保持している。
【００３７】
レンズＬ６は、カメラ本体（図示せず）側に向かって凸形状を有し、光軸Ｘ方向における被写体側から見て、絞りユニット１９の下流側に配置されている。
【００３８】
レンズＬ７は、レンズＬ６の凸形状に当接する凹形状を有し、レンズＬ６に当接した状態で、レンズ保持部１３ｂに固定されている。
【００３９】
（４群レンズ枠ユニット１４）
４群レンズ枠ユニット（第２レンズ枠）１４は、略円筒形状を有し、図２に示すように、光軸Ｘ方向における被写体側から見て、３群レンズ枠ユニット１３の下流側に配置されている。そして、４群レンズ枠ユニット１４は、本体部１４ａ、レンズ保持部１４ｂ、レンズ（第２レンズ）Ｌ８，Ｌ９を有している。
【００４０】
本体部１４ａは、円筒状の部材である。そして、円筒状の本体部１４ａの内周側には、２つのレンズＬ８，Ｌ９を保持するレンズ保持部１４ｂが設けられている。
【００４１】
レンズ保持部１４ｂは、本体部１４ａの内周面におけるやや被写体寄りの位置において、２枚のレンズＬ８，Ｌ９をこの順に保持している。
【００４２】
レンズＬ８は、被写体側およびカメラ本体側の双方に凹んだ凹形状を有している。
【００４３】
レンズＬ９は、レンズＬ８の下流側に配置されており、レンズＬ８の凹形状に当接する凸形状を有している。
【００４４】
（５群レンズ枠ユニット１５）
５群レンズ枠ユニット１５は、図２に示すように、円筒状の４群レンズ枠ユニット１４の本体部１４ａの内周側に、光軸Ｘ方向において移動可能な状態で配置されている。そして、５群レンズ枠ユニット１５は、本体部１５ａ、レンズ保持部１５ｂ、レンズＬ１０を有している。なお、５群レンズ枠ユニット１５は、図示しないアクチュエータによって駆動されることで、光軸Ｘ方向において前後に移動する。
【００４５】
本体部１５ａは、略円板状の部材であって、図２に示すように、光軸Ｘ方向における被写体側から見て、４群レンズ枠ユニット１４に含まれるレンズＬ９の下流側に配置されている。そして、本体部１５ａは、中央の開口部にレンズ保持部１５ｂが設けられている。
【００４６】
レンズ保持部１５ｂは、略円形の開口部であって、レンズＬ１０を保持している。
【００４７】
レンズＬ１０は、カメラ本体（図示せず）側に向かって凸形状を有し、光軸Ｘ方向における被写体側から見て、レンズＬ９の下流側に配置されている。つまり、レンズＬ１０は、レンズ鏡筒１０に含まれる光学系のうち、光軸Ｘ方向から見て、最も下流側（カメラ本体側）に配置されている。
【００４８】
（レンズ枠１６）
レンズ枠（第３レンズ枠）１６は、図２に示すように、１群レンズ枠ユニット１１の本体部１１ａの内周面１１ａａ側において、光軸Ｘ方向において、１群レンズ枠ユニット１１に含まれるレンズ群と２群レンズ枠ユニット１２との間に挟み込まれるように配置されている。また、レンズ枠１６は、図２に示すように、本体部１６ａ、レンズ保持部１６ｂ、外周凸部１６ｃ、凹部（接着剤溜まり部）１６ｃａ、ストッパ１６ｄ、およびレンズＬ４を有している。
【００４９】
本体部１６ａは、図２に示すように、断面視において略台形状を有する略円錐筒形状の部材であって、中央の開口部にレンズ保持部１６ｂが設けられている。また、本体部１６ａにおける最も外周面側の部分には、径方向外側に向かって突出した外周凸部１６ｃが設けられている。
【００５０】
レンズ保持部１６ｂは、略円形の開口部であって、レンズ（第３レンズ）Ｌ４を保持している。また、レンズ鏡筒１０が組み付けられた状態では、図２および図３に示すように、レンズ保持部１６ｂが光軸Ｘ方向においてカメラ本体側になるように、１群レンズ枠ユニット１１に対して固定される。
【００５１】
レンズＬ４は、図２に示すように、被写体側に向かって凸形状を有している。レンズＬ４は、光軸Ｘ方向における被写体側から見て、１群レンズ枠ユニット１１に含まれるレンズＬ３の下流側に配置されている。
【００５２】
本実施形態においては、レンズＬ４は、光学的な感度が高いレンズであり、偏心調整の精度をより必要とする。
【００５３】
外周凸部１６ｃは、図３に示すように、本体部１６ａの外周面における光軸Ｘ方向において被写体側の端部から、略等角度（約１２０度）間隔で３箇所に設けられた鍔上の部材である。そして、外周凸部１６ｃにおけるほぼ中央部分には、径方向内側に向かって凹んだ凹部１６ｃａが設けられている。
【００５４】
凹部（接着剤溜まり部）１６ｃａは、図２に示すレンズ鏡筒１０が組み付けられた状態において、上述した１群レンズ枠ユニット１１の本体部１１ａの内周面１１ａａに形成された凹部１１ａｂと対向配置される。そして、凹部１６ｃａは、１群レンズ枠ユニット１１の凹部１１ａｂとの間に、接着剤が塗布される隙間（接着剤溜まり）を形成する。
【００５５】
ストッパ１６ｄは、外周凸部１６ｃにおける光軸Ｘに垂直な面からカメラ本体側に向かって突出するように形成されており、外周凸部１６ｃの強度を補強する機能を有している。そして、ストッパ１６ｄは、図４Ａ〜図５Ｃに示すように、１群レンズ枠ユニット１１の内周側へレンズ枠１６を固定する際に、１群レンズ枠ユニット１１の内周側において、レンズ枠１６を回転させた際の位置決めを行う。
【００５６】
より詳細には、本実施形態のレンズ鏡筒１０を組み付ける際には、まず、図３に示すように、１群レンズ枠ユニット１１の内周側へ、レンズＬ４を含むレンズ枠１６が固定される。
【００５７】
このとき、１群レンズ枠ユニット１１の内周側へレンズ枠１６を係止するために、図４Ａ〜図４Ｃに示すように、最初に、レンズ枠１６を１群レンズ枠ユニット１１の最奥部に当接させた状態を形成する。
【００５８】
ここで、図４Ａ〜図４Ｃに示す状態では、レンズ枠１６の外周面に設けられた３つの外周凸部１６ｃが、図４Ｃに示す光軸Ｘ方向におけるカメラ本体側から見て、１群レンズ枠ユニット１１側に形成された３つの爪部１１ｅの間にそれぞれ挿入される。
【００５９】
次に、図５Ｃに示すように、光軸Ｘ方向におけるカメラ本体側から見て、１群レンズ枠ユニット１１に対して、レンズ枠１６を光軸Ｘを中心に反時計回りに回転させる。
【００６０】
これにより、光軸Ｘ方向におけるカメラ本体側から見て、１群レンズ枠ユニット１１側に形成された３つの爪部１１ｅの間にそれぞれ挿入されていた３つの外周凸部１６ｃは、それぞれ爪部１１ｅの被写体側へ入り込む。
【００６１】
よって、３つの外周凸部１６ｃが３つの爪部１１ｅによって係止されることで、１群レンズ枠ユニット１１に対するレンズ枠１６の光軸Ｘ方向における移動を規制することができる。
【００６２】
また、１群レンズ枠ユニット１１の内周面側におけるレンズ枠１６の反時計回りの回転は、上述したレンズ枠１６側に設けられた３つのストッパ１６ｄが爪部１１ｅの側面に当接することで規制される。
【００６３】
これにより、１群レンズ枠ユニット１１の内周側において、光軸Ｘ方向に脱落しないように、レンズ枠１６を係止することができる。
【００６４】
なお、このとき、レンズ枠１６は、１群レンズ枠ユニット１１の内周側に仮固定された状態となっている。
【００６５】
つまり、レンズ枠１６は、上述した爪部１１ｅと外周凸部１６ｃとの係合によって、１群レンズ枠ユニット１１に対する光軸Ｘ方向における移動は所定の隙間ｄを介して規制されている。
【００６６】
一方、レンズ枠１６の外周凸部１６ｃと１群レンズ枠ユニット１１の内周面１１ａａとの間には、図７に示すように、所定の径方向隙間Ｇが形成されている。このため、１群レンズ枠ユニット１１に対するレンズ枠１６の径方向における移動は規制されていない。
【００６７】
よって、この仮固定状態において、径方向にレンズ枠１６を移動させることで、全てのレンズＬ１〜Ｌ１０の全体のバランスを見て、レンズ枠１６に含まれるレンズＬ４の偏心調整が行われる。このように、レンズ鏡筒１０の組み付け後にＬ１〜Ｌ１０の全体のバランスを見て、光学的な感度が高いレンズＬ４の偏心調整を行えるため、レンズ鏡筒の光軸調整の精度をより高めることができる。
【００６８】
（その他の構成）
カム枠１７は、図２に示すように、円筒状の部材であって、４群レンズ枠ユニット１４の外周面側に配置されている。そして、カム枠１７には、４群レンズ枠ユニット１４の外周面に設けられたカムピン（図示せず）が嵌合するカム溝（図示せず）が形成されている。
【００６９】
これにより、図示しない回転駆動源から付与される回転駆動力を受けて、カム溝に沿ってカムピンが移動することで、１群レンズ枠ユニット１１〜５群レンズ枠ユニット１５およびレンズ枠１６を光軸方向において前後に移動させることができる。よって、１群レンズ枠ユニット１１〜５群レンズ枠ユニット１５およびレンズ枠１６に含まれる各レンズＬ１〜Ｌ１０間の距離を調整して、ズーム撮影やマクロ撮影等を行うことができる。
【００７０】
固定枠１８は、図２に示すように、円筒状の１群レンズ枠ユニット１１および４群レンズ枠ユニット１４の外周側に配置された円筒状の部材であって、１群レンズ枠ユニット１１から４群レンズ枠ユニット１４の外周面を覆うように配置されている。また、固定枠１８における１群レンズ枠ユニット１１の挿入孔１１ｃに対応する位置には、同様の挿入孔１８ａが形成されている。
【００７１】
挿入孔１８ａは、固定枠１８の外周面から内周面にかけて貫通するように形成された貫通穴であって、挿入孔１１ｃと同様に、略等角度（約１２０度）間隔で３つ設けられている。そして、挿入孔１８ａには、後述する偏心調整用の治具２０（図６参照）が挿入される。
【００７２】
絞りユニット１９は、図示しないステッピングモータ等の駆動源によって駆動される複数の絞り羽根を有している。そして、絞りユニット１９は、複数の絞り羽根を開閉して、開口の面積を変化させることで、レンズ鏡筒１０の光学系（レンズＬ１〜Ｌ１０）の絞り値を変更することができる。
【００７３】
＜レンズ鏡筒１０に含まれるレンズ枠１６の偏心調整＞
本実施形態のレンズ鏡筒１０では、複数のレンズ枠の内側に挟まれるように配置されたレンズ枠１６について、以下のような工程により偏心調整（光軸調整）が実施される。
【００７４】
すなわち、図５Ａ〜図５Ｃに示すように、１群レンズ枠ユニット１１の内周側においてレンズ枠１６が光軸Ｘ方向に移動不能、かつ径方向に移動可能な仮固定状態において、図６に示す偏心調整用の治具２０を用いて、レンズ枠１６の光軸の位置調整が行われる。
【００７５】
具体的には、レンズ鏡筒１０の外周面に略等角度（約１２０度）間隔で３つ設けられた挿入孔１１ｃおよび挿入孔１８ａを介して、３箇所それぞれに偏心調整用の治具２０が挿入される。
【００７６】
ここで、挿入孔１１ｃ，１８ａは、上述したように、レンズ枠１６の外周側の一部を外部からアクセスできるように、外部と連通した状態で設けられている。
【００７７】
これにより、略等角度間隔に配置された挿入孔１１ｃ，１８ａに挿入された３本の治具２０の先端によって、１群レンズ枠ユニット１１の内周側において仮固定されたレンズ枠１６の径方向における位置を調整することができる。
【００７８】
この結果、１群レンズ枠ユニット１１に含まれる３つのレンズＬ１〜Ｌ３の光軸と、レンズ枠１６に含まれるレンズＬ４の光軸とを一致させることができる。
【００７９】
次に、３本の治具２０によって偏心調整された状態で、上述した１群レンズ枠ユニット１１の凹部１１ａｂとレンズ枠１６側の凹部１６ｃａとによって形成される隙間に、図６に示すように、光軸Ｘ方向における被写体側から接着剤２１が充填される。
【００８０】
接着剤２１は、ＵＶ（紫外線）硬化性樹脂が用いられている。
【００８１】
このため、３本の治具２０によって偏心調整された状態のまま、光軸Ｘ方向における被写体側からＵＶを照射することで接着剤を硬化させる。
【００８２】
なお、１群レンズ枠ユニット１１の凹部１１ａｂとレンズ枠１６側の凹部１６ｃａとによって形成される隙間に接着剤２１を充填してＵＶを照射する工程は、略等角度間隔で配置された３箇所の隙間の１箇所ごとに実施してもよい。あるいは、３箇所の隙間全てに接着剤２１を充填した後、３箇所まとめてＵＶ照射して接着剤を硬化させてもよい。
【００８３】
［他の実施形態］
以上、本開示の一実施形態について説明したが、本開示は上記実施形態に限定されるものではなく、開示の要旨を逸脱しない範囲で種々の変更が可能である。
【００８４】
（Ａ）
上記実施形態では、１群レンズ枠ユニット（第１レンズ枠）１１とレンズ枠（第３レンズ枠）１６とを固定する結合部として、接着剤溜まり部（凹部１１ａｂ，１６ｃａ）を採用した例を挙げて説明した。しかし、本開示はこれに限定されるものではない。
【００８５】
例えば、接着剤によって固定する以外に、ビス止め、カシメ等、他の方法によって固定する構成であってもよい。
【００８６】
あるいは、接着剤による固定と、ビス止め、カシメ等の固定とを併用してもよい。
【００８７】
（Ｂ）
上記実施形態では、光軸方向に沿って配置された５つのレンズ群を含む１群レンズ枠ユニット１１〜５群レンズ枠ユニット１５とレンズＬ４を含むレンズ枠１６とを含むレンズ鏡筒の構成を例として挙げて説明した。しかし、本開示はこれに限定されるものではない。
【００８８】
本開示のレンズ鏡筒に含まれるレンズ枠の数は、３つ以上であればよく、例えば、レンズ枠が５つある場合には、光軸方向においてその両端に配置されたレンズ枠の内側に配置されたレンズ枠の偏心調整に、本開示の構成を適用することができる。
【００８９】
（Ｃ）
上記実施形態では、１群レンズ枠ユニット１１の本体部１１ａの内周面１１ａａに形成された凹部１１ａｂと、レンズ枠１６の本体部１６ａの外周面から径方向外側に突出した外周凸部１６ｃに形成された凹部１６ｃａとによって形成される空間を、接着剤溜まり部として用いた例を挙げて説明した。しかし、本開示はこれに限定されるものではない。
【００９０】
例えば、接着剤溜まり部として、１群レンズ枠ユニット１１の内周面１１ａａ側、およびレンズ枠１６の外周面側のいずれか一方に設けられた凹部を用いてもよい。
【００９１】
つまり、接着剤溜まり部を形成する凹部は、１群レンズ枠ユニット１１の内周面１１ａａ側およびレンズ枠１６の外周面側の双方に設けられていなくてもよい。
【００９２】
（Ｄ）
上記実施形態では、１群レンズ枠ユニット１１側にレンズ枠１６を固定するための構成として、１群レンズ枠ユニット１１の本体部１１ａの内周面側に設けられた爪部１１ｅと、レンズ枠１６の外周部に設けられた外周凸部１６ｃとが、それぞれ３つずつ設けられた構成を例として挙げて説明した。しかし、本発明はこれに限定されるものではない。
【００９３】
例えば、１群レンズ枠ユニット側の爪部１１ｅとレンズ枠１６側の外周凸部１６ｃとの組合せは、３つに限定されるものではなく、２つあるいは４つ以上であってもよい。
【００９４】
（Ｅ）
上記実施形態では、第１レンズ枠１１を、被写体側に配置する構成を示した。しかし本発明は、第１レンズ枠１１を、被写体側と反対側に配置する構成としても良い。
【００９５】
（Ｆ）
上記実施形態では、開口部１１ｄと、結合部である凹部１１ａｂおよび１６ｃａとが、被写体側に露出される構成を示した。しかし本発明は、開口部１１ｄと、結合部である凹部１１ａｂおよび１６ｃａとが、被写体側と反対側に露出される構成や、第１レンズ枠１１の外周側に露出される構成としても良い。
【産業上の利用可能性】
【００９６】
本開示のレンズ鏡筒および光軸調整方法は、光軸方向に沿って複数のレンズ枠が配置されたレンズ鏡筒において、複数のレンズ枠のうち、内側に配置されたレンズ枠に取り付けられたレンズの偏心調整を容易に実施することができるという効果を奏することから、各種レンズ鏡筒に対して広く適用可能である。
【符号の説明】
【００９７】
１０    レンズ鏡筒
１１    １群レンズ枠ユニット（第１レンズ枠）
１１ａ    本体部
１１ａａ    内周面
１１ａｂ    凹部（接着剤溜まり部）
１１ｂ    レンズ保持部
１１ｃ    挿入孔
１１ｄ    開口部
１１ｅ    爪部
１２    ２群レンズ枠ユニット（第２レンズ枠）
１２ａ    本体部
１２ｂ    レンズ保持部
１３    ３群レンズ枠ユニット
１３ａ    本体部
１３ｂ    レンズ保持部
１４    ４群レンズ枠ユニット（第２レンズ枠）
１４ａ    本体部
１４ｂ    レンズ保持部
１５    ５群レンズ枠ユニット
１５ａ    本体部
１５ｂ    レンズ保持部
１６    レンズ枠（第３レンズ枠）
１６ａ    本体部
１６ｂ    レンズ保持部
１６ｃ    外周凸部
１６ｃａ    凹部（接着剤溜まり部）
１６ｄ    ストッパ
１７    カム枠
１８    固定枠
１８ａ    挿入孔
１９    絞りユニット
２０    治具（偏心調整用治具）
２１    接着剤
Ｌ１〜Ｌ３    レンズ（第１レンズ）
Ｌ４    レンズ（第３レンズ）
Ｌ５    レンズ(第２レンズ)
Ｌ８，Ｌ９    レンズ（第２レンズ）
Ｌ６，Ｌ７，Ｌ１０    レンズ
ｄ    隙間
Ｇ    径方向隙間
Ｘ    光軸
【図１】
0006533961.tif 000002
【図２】
0006533961.tif 000003
【図３】
0006533961.tif 000004
【図４Ａ】
0006533961.tif 000005
【図４Ｂ】
0006533961.tif 000006
【図４Ｃ】
0006533961.tif 000007
【図５Ａ】
0006533961.tif 000008
【図５Ｂ】
0006533961.tif 000009
【図５Ｃ】
0006533961.tif 000010
【図６】
0006533961.tif 000011
【図７】
0006533961.tif 000012